(57)【要約】【課題】部材を取り外し易い遊技機を提供すること。【解決手段】前枠体４０を備えたパチンコ遊技機において、前枠体４０は、ベース板部材４１と、ベース板部材４１に搭載されている複数の搭載部材（上部パネルユニット４２など）と、ベース板部材４１と複数の搭載部材とを固定している複数のネジと、を備え、搭載部材には、第１搭載部材と、第１搭載部材とは異なる第２搭載部材（裏カバー部材５０など）と、が含まれ、ベース板部材４１と第２搭載部材とには、ベース板部材４１と第１搭載部材とを固定している複数のネジに対応させて、第１標識Ｍ１ａが設けられている。【選択図】図３
2018057749.tif 000002
【特許請求の範囲】
【請求項１】
枠体を備えた遊技機において、
前記枠体は、基礎部材と、前記基礎部材に搭載されている複数の搭載部材と、前記基礎部材と前記複数の搭載部材とを固定している複数の固定手段と、を備え、
前記搭載部材には、第１搭載部材と、前記第１搭載部材とは異なる第２搭載部材と、が含まれ、
前記基礎部材と前記第１搭載部材とを固定している複数の固定手段に対応させて、所定の標識が設けられており、前記所定の標識には、前記基礎部材に設けられた標識と、前記第２搭載部材に設けられた標識と、があることを特徴とする遊技機。
【請求項２】
前記基礎部材と前記第２搭載部材とは、１又は２以上の固定手段によって固定されており、前記第２搭載部材と前記第１搭載部材とは、１又は２以上の固定手段によって固定されており、前記第２搭載部材には、前記第１搭載部材と前記第２搭載部材とを固定している１又は２以上の固定手段に対応させて、所定の標識が設けられている請求項１に記載の遊技機。
【請求項３】
前記所定の標識のうち、同じ第１搭載部材を固定している固定手段に対応している標識は、同じ標識である請求項１又は請求項２に記載の遊技機。
【請求項４】
前記第１搭載部材には、第１部材と第２部材とが含まれており、
前記所定の標識は、前記第１部材と前記第２部材とで異なる請求項１〜請求項３のうち何れか一項に記載の遊技機。
【発明の詳細な説明】
【技術分野】
【０００１】
この発明は、遊技機に関するものである。
【背景技術】
【０００２】
従来、遊技機の一種であるパチンコ遊技機は、中枠や前枠といった複数の枠体を備えているとともに、枠体に設けられたフレーム（基礎部材）に対して複数の部材がネジ止めされている（例えば、特許文献１）。
【先行技術文献】
【特許文献】
【０００３】
【特許文献１】特開２０１３−１０２９４２号公報
【発明の概要】
【発明が解決しようとする課題】
【０００４】
しかしながら、従来の遊技機では、何れのネジ（固定手段）を取り外せば、何れの部材を取り外せるかについて、直感的に理解し難く、設計図や組立説明図などを参照する必要があった。
【０００５】
この発明の目的は、部材を取り外し易い遊技機を提供することである。
【課題を解決するための手段】
【０００６】
上記課題を解決する遊技機は、枠体を備えた遊技機において、前記枠体は、基礎部材と、前記基礎部材に搭載されている複数の搭載部材と、前記基礎部材と前記複数の搭載部材とを固定している複数の固定手段と、を備え、前記搭載部材には、第１搭載部材と、前記第１搭載部材とは異なる第２搭載部材と、が含まれ、前記基礎部材と前記第１搭載部材とを固定している複数の固定手段に対応させて、所定の標識が設けられており、前記所定の標識には、前記基礎部材に設けられた標識と、前記第２搭載部材に設けられた標識と、があることを要旨とする。
【０００７】
上記遊技機について、前記基礎部材と前記第２搭載部材とは、１又は２以上の固定手段によって固定されており、前記第２搭載部材と前記第１搭載部材とは、１又は２以上の固定手段によって固定されており、前記第２搭載部材には、前記第１搭載部材と前記第２搭載部材とを固定している１又は２以上の固定手段に対応させて、所定の標識が設けられているとよい。
【０００８】
上記遊技機について、前記所定の標識のうち、同じ第１搭載部材を固定している固定手段に対応している標識は、同じ標識であるとよい。
上記遊技機について、前記第１搭載部材には、第１部材と第２部材とが含まれており、前記所定の標識は、前記第１部材と前記第２部材とで異なるとよい。
【発明の効果】
【０００９】
本発明によれば、部材を取り外し易い。
【図面の簡単な説明】
【００１０】
【図１】前枠体を閉じた状態のパチンコ遊技機を模式的に示す前方斜視図。
【図２】（ａ）は、前枠体を開いた状態のパチンコ遊技機を模式的に示す前方斜視図、（ｂ）は、ネジを模式的に示す斜視図。
【図３】前枠体を模式的に示す後方斜視図。
【図４】一部を分解した前枠体を模式的に示す後方斜視図。
【図５】一部を分解した前枠体を模式的に示す後方斜視図。
【図６】ベース板部材に対する、右スピーカユニット、可動演出ユニット、及び裏カバー部材の組み付け手順を説明するための後方斜視図。
【図７】ベース板部材に対する、左スピーカユニット、可動演出ユニット、及び裏カバー部材の組み付け手順を説明するための後方斜視図。
【図８】ベース板部材に対する、上部パネルユニットの組み付け手順を説明するための後方斜視図。
【図９】ベース板部材に対する、上部パネルユニットの組み付け手順を説明するための後方斜視図。
【図１０】一部を分解した前枠体を模式的に示す後方斜視図。
【図１１】ベース板部材に対する、下部パネルユニット、貯留ユニット、及び球通路ユニットの組み付け手順を説明するための後方斜視図。
【図１２】ベース板部材に対する、ハンドルユニットの組み付け手順を説明するための後方斜視図。
【図１３】（ａ）〜（ｃ）は、標識を説明するための説明図。
【発明を実施するための形態】
【００１１】
以下、パチンコ遊技機の一実施形態について説明する。
本明細書における上、下、左、右、前（表）、及び後（裏）は、遊技者から見たときの各方向を示すものとする。
【００１２】
図１に示すように、遊技機としてのパチンコ遊技機１０は、遊技枠体１１を備えている。遊技枠体１１は、外枠体２０と、中枠体３０と、前枠体４０と、を備えている。
外枠体２０は、遊技店などの島設備に固定される固定用の枠体である。外枠体２０は、天板２１、底板２２、左側板２３、及び右側板２４を備えており、正面視において、開口部２０ａを有する縦長の四角枠状である。本実施形態において、外枠体２０は、パチンコ遊技機１０の外郭をなしている。例えば、外枠体２０の天板２１及び底板２２は、ベニヤ板などのように釘打ちが可能な木製であり、左側板２３及び右側板２４は、アルミニウムなどの金属製であるとよい。
【００１３】
中枠体３０は、他の部材を搭載するための枠体である。中枠体３０は、正面視において、縦長の四角枠状である。中枠体３０は、開口部２０ａの前面側において、外枠体２０に対して相対的に開放及び閉鎖が可能となるように、外枠体２０の左側板２３に軸支されている。例えば、中枠体３０は、図示しない金属製のベース板部材を備えており、該ベース板部材に対して、各種の部材が組み付けられている。例えば、中枠体３０に搭載される部材には、後述するように、遊技領域６１を有する遊技盤６０の他にも、遊技媒体としての遊技球の発射装置などがある。
【００１４】
前枠体４０は、他の部材を搭載するための枠体である。以下の説明では、遊技枠体１１に搭載されている部材を搭載部材と示す。前枠体４０は、正面視において、開口部４０ａを有する縦長の四角枠状である。前枠体４０は、中枠体３０の前面側において、外枠体２０及び中枠体３０対して相対的に開放及び閉鎖が可能となるように、外枠体２０の左側板２３に軸支されている。本実施形態において、枠体３０，４０は、外枠体２０に対して相対的に開放及び閉鎖が可能であり、前枠体４０は、中枠体３０に対して相対的に開放及び閉鎖が可能である。なお、枠体３０，４０は、外枠体２０の右側板２４に軸支されていてもよい。
【００１５】
図１及び図２（ａ）に示すように、前枠体４０は、基礎部材としてのベース板部材４１を備えている。ベース板部材４１は、開口部４１ａを有する縦長の四角枠状である。本実施形態において、ベース板部材４１は、金属製である。例えば、ベース板部材４１は、鋼鈑をプレス加工することにより、所定の挿通孔や所定の標識と一体に形成されている。なお、ベース板部材４１は、一体に形成されている必要はなく、複数の部品を組み合わせて形成されていてもよい。ベース板部材４１には、複数の搭載部材が組み付けられ、固定されている。以下、ベース板部材４１に対して組み付けられた搭載部材の概要について説明するが、各搭載部材のベース板部材４１に対する組み付け構造の詳細については、後述する。
【００１６】
前枠体４０は、搭載部材の１つとして、ベース板部材４１の前面における上部に組み付けられた上部パネルユニット４２を備えている。上部パネルユニット４２は、正面視において、下方に向かって開口するコの字型の部材である。例えば、上部パネルユニット４２は、電球やＬＥＤなどように、図示しない発光体を内蔵している。上部パネルユニット４２は、演出の１つとして、内蔵された発光体を点灯、点滅、及び消灯させることで所定の演出（以下、発光演出と示す）を実行する。
【００１７】
前枠体４０は、搭載部材の１つとして、ベース板部材４１の前面における下部に組み付けられた下部パネルユニット４３を備えている。下部パネルユニット４３は、正面視において、上方に向かって開口するコの字型の部材である。例えば、下部パネルユニット４３は、電球やＬＥＤなどように、図示しない発光体を内蔵している。下部パネルユニット４３は、演出の１つとして、内蔵された発光体を点灯、点滅、及び消灯させることで発光演出を実行する。また、下部パネルユニット４３は、遊技球を貯留する下貯留部４３３を備えている。
【００１８】
前枠体４０は、搭載部材の１つとして、ベース板部材４１の前面における下部に組み付けられた貯留ユニット４４を備えている。貯留ユニット４４は、前枠体４０の開口部４０ａの下縁部に沿って、且つ左右方向に沿って延びている。貯留ユニット４４は、遊技球を貯留する皿状の上貯留部４４１を備えている。また、貯留ユニット４４は、上面側に、演出ボタン４４２を備えている。
【００１９】
前枠体４０は、搭載部材の１つとして、ベース板部材４１の前面における左上部に組み付けられた左スピーカユニット４５と、ベース板部材４１の前面側における右上部に組み付けられた右スピーカユニット４６と、を備えている。スピーカユニット４５，４６は、演出の１つとして、人や動物の声、効果音、及び楽曲などの音声を出力する演出（以下、音声演出と示す）を実行する。
【００２０】
前枠体４０は、搭載部材の１つとして、ベース板部材４１の前面における左下部に組み付けられた演出用のハンドルユニット４７を備えている。例えば、ハンドルユニット４７は、ハンドル４７１を備えているとともに、該ハンドル４７１を後方へ向かって押し込む操作が可能に構成されている。
【００２１】
前枠体４０は、搭載部材の１つとして、ベース板部材４１の前面における右下部に組み付けられた発射ハンドルユニット４８を備えている。発射ハンドルユニット４８は、発射ハンドル４８１を備えている。パチンコ遊技機１０では、発射ハンドル４８１の操作量（回動量）に応じた強度にて、遊技媒体としての遊技球が遊技領域６１に向かって発射される。
【００２２】
前枠体４０は、搭載部材の１つとして、ベース板部材４１の前面における上部に組み付けられた可動演出ユニット４９を備えている。可動演出ユニット４９は、演出可動体４９１と、略四角箱状の本体部４９２と、を備えている。本体部４９２は、演出可動体４９１を動作させるためのステッピングモータや、該ステッピングモータを駆動するための駆動回路基板などを内部に備えている。
【００２３】
可動演出ユニット４９は、演出可動体４９１を第１状態と第２状態との間で状態を変化させて行う演出（以下、可動体演出と示す）を実行する。第１状態及び第２状態は、演出可動体４９１の姿勢、演出可動体４９１の位置、及び演出可動体４９１の運動状態のうち、少なくとも１つを含んで構成される。例えば、本実施形態の演出可動体４９１は、前後方向に沿って延びている第１姿勢（第１状態）と、上下方向に沿って延びるように立ち上がった第２姿勢（第２状態）と、に姿勢（状態）を変化させる可動体演出を実行する。演出可動体４９１は、発光体を内蔵することにより、発光演出を実行可能に構成されていてもよい。
【００２４】
図２（ａ）及び図３に示すように、前枠体４０は、搭載部材の１つとして、ベース板部材４１の後面における上部に組み付けられた裏カバー部材５０を備えている。前枠体４０は、搭載部材の１つとして、ベース板部材４１の後面における左下部に組み付けられた球通路ユニット５１を備えている。球通路ユニット５１は、全体として略四角箱状である。球通路ユニット５１は、図示しない払出装置から払い出された遊技球を、上貯留部４４１に払い出されるように誘導する球通路を備えている。また、球通路ユニット５１は、遊技領域６１に向けて発射されたが、発射強度が不足して遊技領域６１に到達しなかった遊技球（ファール球）を、下貯留部４３３に払い出されるように誘導する球通路を備えている。
【００２５】
前枠体４０は、搭載部材の１つとして、ベース板部材４１の後面側に組み付けられた保護ガラスユニット５２を備えている。保護ガラスユニット５２は、前枠体４０の開口部４０ａを覆っているガラス板５２ａを備えている。ガラス板５２ａは、中枠体３０に搭載された遊技盤６０の遊技領域６１を保護している。本実施形態において、搭載部材のうち上部パネルユニット４２、下部パネルユニット４３、及びハンドルユニット４７が第１搭載部材に相当する。また、本実施形態において、裏カバー部材５０は、第１搭載部材とは異なる第２搭載部材に相当し、球通路ユニット５１は、第３搭載部材に相当する。
【００２６】
次に、遊技盤６０について説明する。
図１及び図２（ａ）に示すように、遊技盤６０は、前面側に、正面視において略円形である遊技領域６１を備えている。遊技領域６１は、遊技盤６０の前面側を発射レール等の区画部材を用いて区画することにより形成されている。
【００２７】
パチンコ遊技機１０は、特別図柄表示部６２を備えている。例えば、特別図柄表示部６２は、遊技盤６０において、遊技者が視認可能な位置に設けるとよい。特別図柄表示部６２は、所定の図柄を変動表示させるとともに、最終的に特別図柄を確定停止表示させる特別図柄変動ゲームを表示する。特別図柄は、パチンコ遊技機１０において、内部的に行われる大当り抽選の結果を報知するための図柄である。大当り抽選に当選した場合には、特別図柄変動ゲームにおいて大当り図柄が導出され、その後に大当り遊技が付与される。その一方で、大当り抽選に当選しなかった場合には、特別図柄変動ゲームにおいてはずれ図柄が導出される。なお、パチンコ遊技機１０は、複数の特別図柄表示部６２を備え、各別に特別図柄変動ゲームを表示可能であってもよい。
【００２８】
パチンコ遊技機１０は、遊技領域６１の略中央に、各種の装飾が施されたセンター枠６３を備えている。センター枠６３は、開口部６３ａを備えている。パチンコ遊技機１０は、表示手段としての演出表示ディスプレイ６４を備えている。例えば、演出表示ディスプレイ６４は、液晶ディスプレイや有機ＥＬディスプレイなどの表示装置であってもよく、プロジェクタとスクリーンとを含んで構成された表示装置であってもよい。演出表示ディスプレイ６４は、画像が表示される表示領域６４ｒを備えている。演出表示ディスプレイ６４は、センター枠６３の開口部６３ａを介して、遊技者が表示領域６４ｒを視認可能となるように、遊技盤６０に組み付けられている。演出表示ディスプレイ６４は、演出の１つとして、所定のキャラクタや文字を模した画像（絵柄）を表示する演出（以下、表示演出と示す）を実行する。
【００２９】
本実施形態において、演出表示ディスプレイ６４が実行可能な表示演出には、演出図柄を複数列で変動表示させるとともに、最終的に演出図柄の組み合わせを導出させる演出図柄変動ゲームがある。演出図柄は、キャラクタや模様等の装飾が施された図柄（飾り図柄）であって、表示演出を多様化させるためのものである。
【００３０】
パチンコ遊技機１０は、遊技領域６１に開口している２つの始動入賞口６６を備えている。本実施形態では、２つの始動入賞口６６の何れかに入球した遊技球が、図示しないセンサで検知されると、特別図柄変動ゲームの始動条件が成立し得るとともに、予め定めた個数の賞球の払出条件が成立する。なお、始動入賞口６６は、１つであってもよい。また、パチンコ遊技機１０は、一部の始動入賞口６６を開閉する開閉部材を備えていてもよい。
【００３１】
パチンコ遊技機１０は、遊技領域６１に開口している大入賞口６７を備えている。本実施形態では、大入賞口６７に入球した遊技球が図示しないセンサで検知されると、予め定めた個数の賞球の払出条件が成立する。パチンコ遊技機１０は、遊技領域６１において、大入賞口６７を開閉する可変部材６７ａを備えている。
【００３２】
パチンコ遊技機１０は、アウト口６８を備えている。例えば、アウト口６８は、遊技領域６１の下端部において、遊技領域６１に開口している。なお、パチンコ遊技機１０は、複数のアウト口を備えていてもよい。なお、パチンコ遊技機１０は、上述した入賞口６６，６７とは異なる入賞口を備えていてもよい。本明細書において、「入賞」は、遊技球が入賞口に入球することである。また、パチンコ遊技機１０は、釘や風車など、遊技領域６１を流下する遊技球の挙動に変化を与えるための部材を備えている。
【００３３】
パチンコ遊技機１０は、遊技盤６０の裏側に、図示しない主制御基板を備えている。主制御基板は、演算ユニットとメモリを備えている。主制御基板の演算ユニットは、メモリに記憶されたプログラムを実行することで各種の処理を行い、該処理の結果に応じたコマンド（制御情報）を主制御基板から出力させる。
【００３４】
また、パチンコ遊技機１０は、遊技盤６０の裏側に、副制御基板を備えている。副制御基板は、演算ユニットとメモリを備えている。副制御基板の演算ユニットは、メモリに記憶されたプログラムを実行することで、主制御基板から入力したコマンドに基づいて所定の演出装置を制御する。例えば、副制御基板の演算ユニットは、パネルユニット４２，４３による発光演出、スピーカユニット４５，４６による音声演出、演出表示ディスプレイ６４による表示演出、及び可動演出ユニット４９による可動体演出を実行させる。
【００３５】
本実施形態において、パネルユニット４２，４３は、発光演出手段として、スピーカユニット４５，４６は、音声演出手段として、演出表示ディスプレイ６４は、表示演出手段として、可動演出ユニット４９は、可動演出手段として把握できる。即ち、本実施形態では、パネルユニット４２，４３、スピーカユニット４５，４６、演出表示ディスプレイ６４、及び可動演出ユニット４９は、１又は複数の演出装置から構成される演出実行手段として把握できる。
【００３６】
次に、前枠体４０における複数の搭載部材の組み付け構造について、詳しく説明する。
図２（ｂ）に示すように、前枠体４０は、基礎部材としてのベース板部材４１と複数の搭載部材とを固定している複数の固定手段として、複数のネジ５５を備えている。ネジ５５は、扁平な円柱状の頭部５５ａと、頭部５５ａに設けられた工具穴５５ｂと、頭部５５ａの一方の面から延びている軸部５５ｃと、を備えている。軸部５５ｃは、ネジ山を備えている。本実施形態のネジ５５は、なべ型のネジである。なお、ネジ５５は、皿型であってもよく、トラス型であってもよい。
【００３７】
右スピーカユニット４６とその組み付け構造について説明する。
図３及び図４に示すように、右スピーカユニット４６は、右スピーカ４６１と、右スピーカ４６１を支持している右スピーカフランジ４６２と、を備えている。右スピーカフランジ４６２は、該右スピーカフランジ４６２を前後方向に貫通し、ネジ５５のうち軸部５５ｃを挿通可能な２つの挿通孔４６２ａを備えている。
【００３８】
ベース板部材４１は、ベース板部材４１の右上部において前後方向に貫通し、右スピーカ４６１の一部が挿通される右スピーカ挿入孔４１１ａを備えている。また、ベース板部材４１は、ベース板部材４１の前面側であって、正面視において２つの挿通孔４６２ａのそれぞれと１対１で整合一致する位置に、ネジ孔４１１ｂを１つずつ備えている。
【００３９】
図６に示すように、２つのネジ５５は、前方から軸部５５ｃを挿通孔４６２ａ，４６２ａのそれぞれに挿通させた状態にて、それぞれに対応するネジ孔４１１ｂ，４１１ｂに螺入されている。これにより、右スピーカユニット４６は、一部が右スピーカ挿入孔４１１ａに挿入された状態にて、ベース板部材４１の前面に対して固定されている。
【００４０】
左スピーカユニット４５とその組み付け構造について説明する。
図３及び図５に示すように、左スピーカユニット４５は、左スピーカ４５１と、左スピーカ４５１を支持している左スピーカフランジ４５２と、を備えている。左スピーカフランジ４５２は、該左スピーカフランジ４５２を前後方向に貫通し、ネジ５５のうち軸部５５ｃを挿通可能な２つの挿通孔４５２ａを備えている。
【００４１】
ベース板部材４１は、ベース板部材４１の左上部において前後方向に貫通し、左スピーカ４５１の一部が挿通される左スピーカ挿入孔４１２ａを備えている。また、ベース板部材４１は、ベース板部材４１の前面側であって、正面視において２つの挿通孔４５２ａのそれぞれと１対１で整合一致する位置に、ネジ孔４１２ｂを１つずつ備えている。
【００４２】
図７に示すように、２つのネジ５５は、前方から軸部５５ｃを挿通孔４５２ａ，４５２ａのそれぞれに挿通させた状態にて、それぞれに対応するネジ孔４１２ｂ，４１２ｂに螺入されている。これにより、左スピーカユニット４５は、一部が左スピーカ挿入孔４１２ａに挿入された状態にて、ベース板部材４１の前面に対して固定されている。
【００４３】
裏カバー部材５０とその組み付け構造について説明する。
図３〜図５に示すように、裏カバー部材５０は、左右方向に沿って延びる略四角板状の部材である。例えば、裏カバー部材５０は、ベース板部材４１の後面側において、ベース板部材４１の後面と、遊技盤６０の上部における前面との隙間を埋めるための部材である。本実施形態において、裏カバー部材５０は、例えばポリカーボネートなどの透明な樹脂材料製である。なお、裏カバー部材５０は、不透明な樹脂材料製であってもよく、金属製であってもよい。
【００４４】
裏カバー部材５０は、右端部に、前後方向に貫通し、ネジ５５のうち軸部５５ｃを挿通可能な右挿通孔５０１ａを備えている。裏カバー部材５０は、左端部に、前後方向に貫通し、ネジ５５のうち軸部５５ｃを挿通可能な左挿通孔５０１ｂを備えている。挿通孔５０１ａ，５０１ｂは、ざぐり加工が施されており、ネジ５５の頭部５５ａが接するざぐり部を備えている。
【００４５】
図４に示すように、裏カバー部材５０がベース板部材４１の後面に固定されている状態において、ベース板部材４１は、該ベース板部材４１の後面側であって、正面視において右挿通孔５０１ａと整合一致する位置に、右ネジ孔４１３ａを備えている。
【００４６】
図５に示すように、裏カバー部材５０がベース板部材４１の後面に固定されている状態において、ベース板部材４１は、該ベース板部材４１の後面側であって、正面視において左挿通孔５０１ｂと整合一致する位置に、左ネジ孔４１３ｂを備えている。
【００４７】
図６及び図７に示すように、２つのネジ５５は、後方から軸部５５ｃを挿通孔５０１ａ，５０１ｂのそれぞれに挿通させた状態にて、それぞれに対応するネジ孔４１３ａ，４１３ｂに螺入されている。これにより、裏カバー部材５０は、ベース板部材４１の後面に対して固定されている。
【００４８】
可動演出ユニット４９の組み付け構造について説明する。
図３〜図５に示すように、裏カバー部材５０は、左右方向における中央部分において、上下方向に沿って並んでいる２つの中作業孔５０２を備えている。２つの中作業孔５０２は、裏カバー部材５０を前後方向に貫通している。裏カバー部材５０は、左右方向における中作業孔５０２，５０２と右挿通孔５０１ａとの間において、上下方向に沿って並んでいる２つの右作業孔５０３を備えている。２つの右作業孔５０３は、裏カバー部材５０を前後方向に貫通している。裏カバー部材５０は、左右方向における中作業孔５０２，５０２と左挿通孔５０１ｂとの間において、上下方向に沿って並んでいる２つの左作業孔５０４を備えている。２つの左作業孔５０４は、裏カバー部材５０を前後方向に貫通している。複数の作業孔５０２〜５０４は、ネジ５５が通過可能である。
【００４９】
ベース板部材４１は、左右方向における略中央部分に、前後方向に貫通し、上下方向に沿って並んでいる２つの中挿通孔４１４ａを備えている。ベース板部材４１は、中挿通孔４１４ａ，４１４ａの右方に、前後方向に貫通し、上下方向に沿って並んでいる２つの右挿通孔４１４ｂを備えている。ベース板部材４１は、中挿通孔４１４ａ，４１４ａの左方に、前後方向に貫通し、上下方向に沿って並んでいる２つの左挿通孔４１４ｃを備えている。複数の挿通孔４１４ａ〜４１４ｃは、ネジ５５のうち軸部５５ｃを挿通可能である。
【００５０】
裏カバー部材５０がベース板部材４１の後面に固定されている状態において、２つの中挿通孔４１４ａは、裏カバー部材５０における２つの中作業孔５０２のそれぞれと正面視において１対１で整合一致している。裏カバー部材５０がベース板部材４１の後面に固定されている状態において、２つの右挿通孔４１４ｂは、裏カバー部材５０における２つの右作業孔５０３のそれぞれと正面視において１対１で整合一致している。裏カバー部材５０がベース板部材４１の後面に固定されている状態において、２つの左挿通孔４１４ｃは、裏カバー部材５０における２つの左作業孔５０４のそれぞれと正面視において１対１で整合一致している。
【００５１】
可動演出ユニット４９の本体部４９２は、右側面に、上下方向に貫通し、前後方向に沿って並んでいる３つの右側ネジ孔４９３を備えている。本体部４９２は、左側面に、上下方向に貫通し、前後方向に沿って並んでいる３つの左側ネジ孔４９４を備えている。
【００５２】
可動演出ユニット４９の本体部４９２は、左右方向における後面の中央部分に、上下方向に沿って並んでいる２つの中ネジ孔４９２ａを備えている。本体部４９２は、後面における右端部に、上下方向に沿って並んでいる２つの右ネジ孔４９２ｂを備えている。本体部４９２は、後面における左端部に、上下方向に沿って並んでいる２つの左ネジ孔４９２ｃを備えている。
【００５３】
正面視において、２つの中挿通孔４１４ａは、２つの中ネジ孔４９２ａのそれぞれと１対１で整合一致している。正面視において、２つの右挿通孔４１４ｂは、２つの右ネジ孔４９２ｂのそれぞれと１対１で整合一致している。正面視において、２つの左挿通孔４１４ｃは、２つの左ネジ孔４９２ｃのそれぞれと１対１で整合一致している。
【００５４】
したがって、正面視において、可動演出ユニット４９の本体部４９２に設けられている２つの中ネジ孔４９２ａのそれぞれには、１つの中作業孔５０２と、１つの中挿通孔４１４ａとが整合一致している。正面視において、可動演出ユニット４９の本体部４９２に設けられている２つの右ネジ孔４９２ｂのそれぞれには、１つの右作業孔５０３と、１つの右挿通孔４１４ｂとが整合一致している。正面視において、可動演出ユニット４９の本体部４９２に設けられている２つの左ネジ孔４９２ｃのそれぞれには、１つの左作業孔５０４と、１つの左挿通孔４１４ｃとが整合一致している。
【００５５】
図６及び図７に示すように、２つのネジ５５は、中作業孔５０２，５０２を介して、後方から軸部５５ｃを中挿通孔４１４ａ，４１４ａのそれぞれに挿通させた状態で、本体部４９２の中ネジ孔４９２ａ，４９２ａのそれぞれに螺入されている。２つのネジ５５は、右作業孔５０３，５０３を介して、後方から軸部５５ｃを右挿通孔４１４ｂ，４１４ｂのそれぞれに挿通させた状態で、本体部４９２の右ネジ孔４９２ｂ，４９２ｂのそれぞれに螺入されている。２つのネジ５５は、左作業孔５０４，５０４を介して、後方から軸部５５ｃを左挿通孔４１４ｃ，４１４ｃに挿通させた状態で、本体部４９２の左ネジ孔４９２ｃ，４９２ｃのそれぞれに螺入されている。これにより、可動演出ユニット４９は、ベース板部材４１の前面に対して固定されている。
【００５６】
上部パネルユニット４２の組み付け構造について説明する。
図３〜図５に示すように、上部パネルユニット４２は、上部パネル部材４２１を備えている。上部パネル部材４２１は、全体として、正面視において、下方に開口するコの字型である。上部パネル部材４２１は、後方に開口し、且つ前方に向かって膨らむように突出している中空の部材である。
【００５７】
上部パネル部材４２１は、上部において、天板４２１ａの後端部から前方に向かって切り欠くように形成された収容部４２３を備えている。上部パネルユニット４２及び可動演出ユニット４９がベース板部材４１の前面に対して固定されている状態において、収容部４２３には、可動演出ユニット４９が嵌め込まれるようにして収容される。上部パネル部材４２１は、収容部４２３の右側の縁部において、前後方向に沿って並んでいる３つの挿通孔４２３ａを備えている。上部パネル部材４２１は、収容部４２３の左側の縁部において、前後方向に沿って並んでいる３つの挿通孔４２３ｂを備えている。複数の挿通孔４２３ａ，４２３ｂは、ネジ５５のうち軸部５５ｃを挿通可能である。
【００５８】
上部パネルユニット４２は、遮光板４２２を備えている。例えば、遮光板４２２は、金属製の板状部材である。遮光板４２２は、平面視において、収容部４２３と整合一致した位置において、上部パネル部材４２１の内部に固定されている。例えば、遮光板４２２は、上部パネル部材４２１の内部にネジ５５を用いて固定されていてもよく、接着により固定されていてもよく、一体成型により固定されていてもよい。
【００５９】
上部パネルユニット４２は、後面のうち上部に、左右方向に沿って並んでいる４つの上ネジ孔４２５ａ〜４２５ｄを備えている。上ネジ孔４２５ａ〜４２５ｄは、上部パネル部材４２１に設けられている。上部パネルユニット４２は、後面のうち上ネジ孔４２５ａ〜４２５ｄの下方に、左右方向に沿って並んでいる４つの下ネジ孔４２５ｅ〜４２５ｊを備えている。下ネジ孔４２５ｅ，４２５ｆ，４２５ｉ，４２５ｊは、上部パネル部材４２１に設けられている。下ネジ孔４２５ｇ，４２５ｈは、遮光板４２２の後端部に設けられている。
【００６０】
ベース板部材４１は、後面のうち上部に、前後方向に貫通し、左右方向に沿って並んでいる４つの上挿通孔４１５ａ〜４１５ｄを備えている。ベース板部材４１は、後面のうち上挿通孔４１５ａ〜４１５ｄの下方に、前後方向に貫通し、左右方向に沿って並んでいる６つの下挿通孔４１５ｅ〜４１５ｊを備えている。挿通孔４１５ａ〜４１５ｊは、ネジ５５のうち軸部５５ｃを挿通可能である。
【００６１】
裏カバー部材５０は、該裏カバー部材５０を前後方向に貫通し、下縁部を切り欠くようにして形成された２つの下作業孔５０５を備えている。裏カバー部材５０は、該裏カバー部材５０を前後方向に貫通し、上縁部を切り欠くようにして形成された２つの上作業孔５０６を備えている。
【００６２】
そして、正面視において、上挿通孔４１５ａは上ネジ孔４２５ａと、上挿通孔４１５ｄは上ネジ孔４２５ｄと、それぞれ相互に整合一致している。裏カバー部材５０がベース板部材４１の後面に固定されている状態では、正面視において、右側の上作業孔５０６と、上挿通孔４１５ｂと、上ネジ孔４２５ｂとは、相互に整合一致している。裏カバー部材５０がベース板部材４１の後面に固定されている状態では、正面視において、左側の上作業孔５０６と、上挿通孔４１５ｃと、上ネジ孔４２５ｃとは、相互に整合一致している。
【００６３】
正面視において、下挿通孔４１５ｅは下ネジ孔４２５ｅと、下挿通孔４１５ｆは下ネジ孔４２５ｆと、下挿通孔４１５ｉは下ネジ孔４２５ｉと、下挿通孔４１５ｊは下ネジ孔４２５ｊと、それぞれ整合一致している。
【００６４】
裏カバー部材５０がベース板部材４１の後面に固定されている状態では、正面視において、右側の下作業孔５０５と、下挿通孔４１５ｇと、下ネジ孔４２５ｇとは、相互に整合一致している。裏カバー部材５０がベース板部材４１の後面に固定されている状態では、正面視において、左側の下作業孔５０５と、下挿通孔４１５ｈと、下ネジ孔４２５ｈとは、相互に整合一致している。
【００６５】
図８及び図９に示すように、ネジ５５のうち、６つのネジ５５は、後方から軸部５５ｃをベース板部材４１の挿通孔４１５ａ，４１５ｄ，４１５ｅ，４１５ｆ，４１５ｉ，４１５ｊのそれぞれに挿通させた状態で、上部パネルユニット４２のネジ孔４２５ａ，４２５ｄ，４２５ｅ，４２５ｆ，４２５ｉ，４２５ｊのそれぞれに螺入されている。
【００６６】
ネジ５５は、右側の上作業孔５０６を介して、後方から軸部５５ｃを上挿通孔４１５ｂに挿通させた状態において、上ネジ孔４２５ｂに螺入されている。ネジ５５は、左側の上作業孔５０６を介して、後方から軸部５５ｃを上挿通孔４１５ｃに挿通させた状態において、上ネジ孔４２５ｃに螺入されている。
【００６７】
ネジ５５は、右側の下作業孔５０５を介して、後方から軸部５５ｃを下挿通孔４１５ｇに挿通させた状態において、下ネジ孔４２５ｇに螺入されている。ネジ５５は、左側の下作業孔５０５を介して、後方から軸部５５ｃを下挿通孔４１５ｈに挿通させた状態において、下ネジ孔４２５ｈに螺入されている。これにより、本実施形態では、上部パネルユニット４２（上部パネル部材４２１及び遮光板４２２）がベース板部材４１の前面に対して固定されている。
【００６８】
また、３つのネジ５５は、上方から軸部５５ｃを３つの挿通孔４２３ａのそれぞれに挿通させた状態において、上部パネル部材４２１の３つの右側ネジ孔４９３のそれぞれに螺入されている。３つのネジ５５は、上方から軸部５５ｃを３つの挿通孔４２３ｂのそれぞれに挿通させた状態において、上部パネル部材４２１の３つの左側ネジ孔４９４のそれぞれに螺入されている。これにより、本実施形態では、上部パネルユニット４２（上部パネル部材４２１）と可動演出ユニット４９とが相互に固定されている。
【００６９】
球通路ユニット５１の組み付け構造について説明する。
図１０に示すように、球通路ユニット５１は、右側面に、前後方向に貫通している右挿通孔５１１ａを備えている。球通路ユニット５１は、左側面に、前後方向に貫通している左挿通孔５１１ｂを備えている。球通路ユニット５１は、下面に、前後方向に貫通している下挿通孔５１１ｃを備えている。挿通孔５１１ａ〜５１１ｃは、ネジ５５のうち軸部５５ｃを挿通可能である。
【００７０】
ベース板部材４１は、左下部に、３つのネジ孔４１６ａ〜４１６ｃを備えている。正面視において、ネジ孔４１６ａと右挿通孔５１１ａとは相互に整合一致しており、ネジ孔４１６ｂと左挿通孔５１１ｂとは相互に整合一致しており、ネジ孔４１６ｃと下挿通孔５１１ｃとは相互に整合一致している。
【００７１】
図１１に示すように、３つのネジ５５は、後方から軸部５５ｃを３つの挿通孔５１１ａ〜５１１ｃのそれぞれに挿通させた状態において、ベース板部材４１のネジ孔４１６ａ〜４１６ｃのそれぞれに螺入されている。これにより、球通路ユニット５１は、ベース板部材４１の後面に対して固定されている。
【００７２】
下部パネルユニット４３及び貯留ユニット４４の組み付け構造について説明する。
図１０に示すように、下部パネルユニット４３は、下部パネル部材４３１を備えている。下部パネル部材４３１は、全体として、正面視において、上方に開口するコの字型である。下部パネル部材４３１は、後方に開口し、且つ前方に向かって膨らむように突出している中空の部材である。下部パネル部材４３１は、上面に開口する収容部４３２を備えている。下部パネル部材４３１は、左下部に、四角板状のハンドルベース４３４を備えている。
【００７３】
下部パネル部材４３１は、後面のうち下縁部に、左右方向に沿って並んでいる３つの下ネジ孔４３５ａを備えている。下部パネル部材４３１は、後面のうち右縁部に、上下方向に沿って並んでいる２つの右ネジ孔４３５ｂを備えている。下部パネル部材４３１は、後面のうち左縁部に、上下方向に沿って並んでいる３つの左ネジ孔４３５ｃを備えている。下部パネル部材４３１は、後面のうち上縁部に、前後方向に貫通し、左右方向に沿って並んでいる３つの挿通孔４３６を備えている。３つの挿通孔４３６は、ネジ５５のうち軸部５５ｃを挿通可能である。
【００７４】
収容部４３２には、貯留ユニット４４が上方から嵌め込まれるようにして収容される。貯留ユニット４４は、後面に、左右方向に沿って並んでいる３つのネジ孔４４３ａ〜４４３ｃを備えている。貯留ユニット４４を下部パネルユニット４３の収容部４３２に収容した状態では、正面視において、貯留ユニット４４に設けられている３つのネジ孔４４３ａ〜４４３ｃのそれぞれは、下部パネル部材４３１に設けられている３つの挿通孔４３６のそれぞれと１対１で整合一致している。
【００７５】
ベース板部材４１は、下縁部に、前後方向に貫通し、左右方向に沿って並んでいる３つの下挿通孔４１７ａを備えている。ベース板部材４１は、右縁部に、前後方向に貫通し、上下方向に沿って並んでいる２つの右挿通孔４１７ｂを備えている。ベース板部材４１は、左縁部に、前後方向に貫通し、上下方向に沿って並んでいる３つの左挿通孔４１７ｃを備えている。複数の挿通孔４１７ａ〜４１７ｃは、ネジ５５のうち軸部５５ｃを挿通可能である。
【００７６】
ベース板部材４１は、上縁部に、前後方向に貫通し、左右方向に沿って並んでいる３つの作業孔４１８を備えている。３つの作業孔４１８は、ネジ５５が通過可能である。正面視において、ベース板部材４１に設けられている３つの作業孔４１８は、貯留ユニット４４に設けられている３つのネジ孔４４３ａ〜４４３ｃのそれぞれと１対１で整合一致している。即ち、ネジ孔４４３ａ〜４４３ｃのそれぞれには、正面視において、１つの作業孔４１８と、１つの挿通孔４３６と、とが整合一致するようになっている。
【００７７】
図１１に示すように、３つのネジ５５は、後方から軸部５５ｃを３つの下挿通孔４１７ａのそれぞれに挿通させた状態において、下部パネルユニット４３に設けられている３つの下ネジ孔４３５ａのそれぞれに螺入されている。２つのネジ５５は、後方から軸部５５ｃを２つの右挿通孔４１７ｂのそれぞれに挿通させた状態において、下部パネルユニット４３に設けられている２つの右ネジ孔４３５ｂのそれぞれに螺入されている。３つのネジ５５は、後方から軸部５５ｃを３つの左挿通孔４１７ｃのそれぞれに挿通させた状態において、下部パネルユニット４３に設けられている３つの左ネジ孔４３５ｃのそれぞれに螺入されている。
【００７８】
また、３つのネジ５５は、後方から軸部５５ｃを３つの挿通孔４３６のそれぞれに挿通させた状態において、貯留ユニット４４に設けられているネジ孔４４３ａ〜４４３ｃのそれぞれに螺入されている。ネジ孔４４３ａ〜４４３ｃへのネジ５５の螺入は、正面視において１対１で整合一致している作業孔４１８を介して行う。これにより、下部パネルユニット４３及び貯留ユニット４４は、ベース板部材４１の前面に対して固定されている。
【００７９】
ハンドルユニット４７の組み付け構造について説明する。
ハンドルユニット４７は、後面に、４つのネジ孔４７１ａを備えている。下部パネルユニット４３のうちハンドルベース４３４は、前後方向に貫通している４つの作業孔４３４ａを備えている。ベース板部材４１は、右下部に、前後方向に貫通し、ネジ５５のうち軸部５５ｃを挿通可能な４つの挿通孔４１９ａを備えている。正面視において、ハンドルユニット４７に設けられている４つのネジ孔４７１ａのそれぞれには、１つの作業孔４３４ａと、１つの挿通孔４１９ａとが整合一致している。
【００８０】
図１２に示すように、４つのネジ５５は、後方から軸部５５ｃをそれぞれ挿通孔４１９ａ及び作業孔４３４ａに挿通させた状態において、ハンドルユニット４７に設けられている４つのネジ孔４７１ａのそれぞれに螺入されている。これにより、ハンドルユニット４７は、ハンドルベース４３４を介在させた状態において、ベース板部材４１の前面側に対して固定されている。
【００８１】
以上のように、本実施形態のパチンコ遊技機１０では、ベース板部材４１に対して、上部パネルユニット４２、下部パネルユニット４３、貯留ユニット４４、ハンドルユニット４７、裏カバー部材５０、及び球通路ユニット５１を含む、複数の搭載部材が組み付けられている。
【００８２】
そして、本実施形態のパチンコ遊技機１０では、搭載部材とベース板部材４１とを固定している複数のネジ５５に対応させて、所定の標識が設けられている。即ち、所定の標識は、搭載部材とベース板部材４１とをネジ５５によって固定している固定部に対応させて設けられている。より具体的に言えば、所定の標識は、所定の搭載部材とベース板部材４１とを固定している所定のネジ５５、同じ所定のネジ５５が螺入されるネジ孔、同じ所定のネジ５５が挿通される挿通孔、及び同じ所定のネジ５５が挿通される作業孔のうち一部又は全部に対応させて設けられていると把握できる。本実施形態の標識は、所定の標識が対応しているネジ５５を取り外すことで、所定の標識が対応している搭載部材を取り外すことが可能であることを識別可能な情報となる。換言すれば、本実施形態の標識は、ベース板部材４１に組み付けられた搭載部材ごとに、該搭載部材を固定しているネジ５５を識別可能とするための情報でもある。
【００８３】
以下の説明では、「標識を付与する」と示す場合、ネジ５５に対応させて標識を設けることを意図している。「所定のネジ５５に対応させて所定の標識が設けられている」とは、所定のネジ５５に対応していることが識別可能となるように所定の標識が設けられていることを意図している。本実施形態では、所定のネジ５５が挿通されている挿通孔又は作業孔に近接した位置に所定の標識を設けることによって、所定のネジ５５と所定の標識とが対応していることを識別可能となっている。例えば、所定のネジ５５が挿通されている挿通孔又は作業孔と所定の標識とが離間している場合であっても、所定のネジ５５が挿通されている挿通孔又は作業孔と所定の標識とを繋ぐように引き出し線を設けることで、所定のネジ５５と所定の標識とが対応していることを識別可能としてもよい。
【００８４】
図１３（ａ）〜（ｃ）に示すように、本実施形態の標識には、第１標識Ｍ１、第２標識Ｍ２、及び第３標識Ｍ３がある。例えば、図１３（ａ）に示すように、第１標識Ｍ１は、矢印を模した標識である。例えば、図１３（ｂ）に示すように、第２標識Ｍ２は、三角形を模した標識である。例えば、図１３（ｃ）に示すように、第３標識Ｍ３は、菱形を模した標識である。
【００８５】
図３に示すように、前枠体４０は、上部パネルユニット４２を固定するときに用いる挿通孔４１５ａ〜４１５ｆ，４１５ｉ，４１５ｊに挿通されている８つのネジ５５と、それぞれ１対１で対応させた状態で、全部で８つの第１標識Ｍ１ａを備えている。８つの第１標識Ｍ１ａは、前枠体４０の後面側において、それぞれ挿通孔４１５ａ〜４１５ｆ，４１５ｉ，４１５ｊに近接した位置に設けられている。
【００８６】
具体的に、挿通孔４１５ａ，４１５ｅ，４１５ｆ，４１５ｉ，４１５ｊに挿通されているネジ５５に対応する５つの第１標識Ｍ１ａは、ベース板部材４１の後面に形成されている。本実施形態において、この５つの第１標識Ｍ１ａは、ベース板部材４１の後面において、凹部、又は凸部としてベース板部材４１と一体に形成されている。例えば、第１標識Ｍ１ａは、ベース板部材４１をプレス加工により製造するときに、同時に形成することができる。
【００８７】
また、３つの挿通孔４１５ｂ〜４１５ｄに挿通されているネジ５５に対応する３つの第１標識Ｍ１ｂは、裏カバー部材５０の後面に形成されている。本実施形態において、この３つの第１標識Ｍ１ｂは、裏カバー部材５０の後面において、凹部、又は凸部として裏カバー部材５０と一体に形成されている。例えば、第１標識Ｍ１ｂは、裏カバー部材５０を射出成型により製造するときに、同時に形成することができる。
【００８８】
したがって、本実施形態のパチンコ遊技機１０において、第１標識Ｍ１ａは、上部パネル部材４２１とベース板部材４１とを固定しているネジ５５に対応させて設けられている標識となる。即ち、ベース板部材４１と裏カバー部材５０には、ベース板部材４１と上部パネル部材４２１とを固定している複数のネジ５５に対応させて、所定の標識として同じ第１標識Ｍ１ａが設けられている。第１標識Ｍ１ａは、上部パネル部材４２１には設けられておらず、ベース板部材４１と、該ベース板部材４１に固定されている裏カバー部材５０とに設けられている。換言すれば、第１標識Ｍ１ａには、ベース板部材４１に設けられた標識と、裏カバー部材５０に設けられた標識と、がある。
【００８９】
本実施形態では、第１標識Ｍ１ａが付与されたネジ５５を取り外すことで、上部パネルユニット４２のうち上部パネル部材４２１を取り外すことができる。なお、本実施形態のパチンコ遊技機１０では、上部パネル部材４２１と、遮光板４２２及び可動演出ユニット４９とが相互に固定されていることから、上部パネルユニット４２を取り外すためには、これらの搭載部材についても同時に取り外す必要がある。
【００９０】
前枠体４０は、上部パネルユニット４２を固定するときに用いる２つの挿通孔４１５ｇ，４１５ｈに挿通されているネジ５５と、それぞれ１対１で対応させた状態で、全部で２つの第３標識Ｍ３ａを備えている。２つの第３標識Ｍ３ａは、前枠体４０の後面側において、それぞれ挿通孔４１５ｇ，４１５ｈに近接した位置に設けられている。２つの挿通孔４１５ｇ，４１５ｈに各別に対応する２つの第３標識Ｍ３ａは、裏カバー部材５０の後面に形成されている。本実施形態において、この３つの第３標識Ｍ３ａは、裏カバー部材５０の後面において、凹部、又は凸部として裏カバー部材５０と一体に形成されている。
【００９１】
したがって、本実施形態のパチンコ遊技機１０において、第３標識Ｍ３ａは、遮光板４２２とベース板部材４１とを固定しているネジ５５に対応させて設けられている標識となる。即ち、ベース板部材４１と遮光板４２２とは、１又は２以上のネジ５５によって固定されており、裏カバー部材５０には、ベース板部材４１と遮光板４２２とを固定している１又は２以上のネジ５５に対応させて、所定の標識として同じ第３標識Ｍ３ａが設けられているといえる。第３標識Ｍ３ａは、遮光板４２２及びベース板部材４１には設けられておらず、ベース板部材４１に固定されている裏カバー部材５０に設けられている。
【００９２】
本実施形態では、第３標識Ｍ３ａに対応する挿通孔からネジ５５を取り外すことで、上部パネルユニット４２のうち遮光板４２２を取り外すことができる。なお、本実施形態のパチンコ遊技機１０では、上部パネル部材４２１と、遮光板４２２とが相互に固定されていることから、上部パネルユニット４２を取り外すためには、上部パネル部材４２１も同時に取り外す必要がある。
【００９３】
本実施形態では、可動演出ユニット４９を固定しているネジ５５には、標識が付与されていない。即ち、本実施形態では、挿通孔４１４ａ〜４１４ｃに対応する標識がない。しかしながら、ベース板部材４１のうち、上部パネルユニット４２によって覆われる上側部分の範囲内において、上部パネルユニット４２を固定しているネジ５５には、それぞれに標識が付与されている。さらに、ベース板部材４１に対するスピーカユニット４５，４６の組み付けは、ベース板部材４１の前面側からのネジ止めによって行われる。したがって、本実施形態では、標識が付与されていないネジ５５を取り外すことで、可動演出ユニット４９を取り外し可能であることを識別できる。
【００９４】
前枠体４０は、下部パネルユニット４３を固定するときに用いる挿通孔４１７ａ〜４１５ｃに挿通されているネジ５５と、それぞれ１対１で対応させた状態で、全部で８つの第２標識Ｍ２を備えている。８つの第２標識Ｍ２は、前枠体４０の後面側において、それぞれ挿通孔４１７ａ〜４１５ｃに近接した位置に設けられている。具体的に、挿通孔４１７ａ〜４１５ｃに挿通されているネジ５５に対応する８つの第２標識Ｍ２は、ベース板部材４１の後面に形成されている。本実施形態において、この８つの第２標識Ｍ２は、ベース板部材４１の後面において、凹部、又は凸部としてベース板部材４１と一体に形成されている。
【００９５】
したがって、本実施形態のパチンコ遊技機１０において、第２標識Ｍ２は、下部パネルユニット４３とベース板部材４１とを固定しているネジ５５に対応させて設けられている同じ標識となる。第２標識Ｍ２は、下部パネルユニット４３には設けられておらず、ベース板部材４１に設けられている。本実施形態では、第２標識Ｍ２に対応するネジ５５を取り外すことで、下部パネルユニット４３を取り外すことができる。
【００９６】
前枠体４０は、ハンドルユニット４７を固定するときに用いる４つの挿通孔４１９ａに挿通されているネジ５５と、それぞれ１対１で対応させた状態で、全部で４つの第３標識Ｍ３ｂを備えている。４つの第３標識Ｍ３ｂは、前枠体４０の後面側において、４つの挿通孔４１９ａのそれぞれに近接した位置に設けられている。具体的に、４つの挿通孔４１９ａに挿通されているネジ５５に対応する４つの第３標識Ｍ３ｂは、ベース板部材４１の後面に形成されている。本実施形態において、この４つの第３標識Ｍ３ｂは、ベース板部材４１の後面において、凹部、又は凸部としてベース板部材４１と一体に形成されている。
【００９７】
したがって、本実施形態のパチンコ遊技機１０において、第３標識Ｍ３ｂは、ハンドルユニット４７とベース板部材４１とを固定しているネジ５５に対応させて設けられている同じ標識となる。第３標識Ｍ３ｂは、ハンドルユニット４７には設けられておらず、ベース板部材４１に設けられている。本実施形態では、第３標識Ｍ３ｂに対応するネジ５５を取り外すことで、ハンドルユニット４７を取り外すことができる。本実施形態において、上部パネルユニット４２（遮光板４２２）に対応する第３標識Ｍ３ａと、ハンドルユニット４７に対応する第３標識Ｍ３ｂとは、同じ標識である。しかしながら、上部パネルユニット４２によって覆われている上側部分と、下部パネルユニット４３によって覆われている下側部分とは、作業者が極めて容易に区別して作業を行うことができる。また、第３標識Ｍ３ａと第３標識Ｍ３ｂとは、可動演出ユニット４９とハンドルユニット４７とが離間していることに起因して、同様に離間している。したがって、上部パネルユニット４２（遮光板４２２）に対応する第３標識Ｍ３ａと、ハンドルユニット４７に対応する第３標識Ｍ３ｂと、を混同する可能性は低い。そして、本実施形態では、一部の標識を共通化することによって、標識の種類が多くなることを抑制できる。
【００９８】
前枠体４０は、球通路ユニット５１を固定するときに用いる挿通孔５１１ａ〜５１１ｃに挿通されているネジ５５と、それぞれ１対１で対応させた状態で、全部で３つの第１標識Ｍ１ｂを備えている。３つの第１標識Ｍ１ｂは、前枠体４０の後面側において、それぞれ挿通孔５１１ａ〜５１１ｃに近接した位置に設けられている。具体的に、挿通孔５１１ａ〜５１１ｃに挿通されているネジ５５に対応する第１標識Ｍ１ｂは、球通路ユニット５１の後面に形成されている。本実施形態において、この３つの第１標識Ｍ１ｂは、球通路ユニット５１の後面において、凹部、又は凸部として球通路ユニット５１と一体に形成されている。
【００９９】
したがって、本実施形態のパチンコ遊技機１０において、第１標識Ｍ１ｂは、球通路ユニット５１とベース板部材４１とを固定しているネジ５５に対応させて設けられている同じ標識となる。第１標識Ｍ１ｂは、ベース板部材４１には設けられておらず、ベース板部材４１に固定される第３搭載部材の自身に設けられている。本実施形態では、第１標識Ｍ１ｂに対応するネジ５５を取り外すことで、球通路ユニット５１を取り外すことができる。
【０１００】
本実施形態では、上部パネルユニット４２（上部パネル部材４２１）に対応する第１標識Ｍ１ａと、球通路ユニット５１に対応する第１標識Ｍ１ｂとは、同じ標識である。しかしながら、上部パネルユニット４２によって覆われている上側部分と、下部パネルユニット４３によって覆われている下側部分とは、作業者が極めて容易に区別して作業を行うことができる。また、第１標識Ｍ１ａと第１標識Ｍ１ｂとは、上部パネルユニット４２と球通路ユニット５１とが離間していることに起因して、同様に離間している。したがって、本実施形態では、上部パネルユニット４２（上部パネル部材４２１）に対応する第１標識Ｍ１ａと、球通路ユニット５１に対応する第１標識Ｍ１ｂと、を混同する可能性は低い。そして、本実施形態では、一部の標識を共通化することによって、標識の種類が多くなることを抑制できる。
【０１０１】
また、本実施形態では、貯留ユニット４４を固定している３つネジ５５には、標識が付与されていない。即ち、本実施形態では、３つの挿通孔４３６に対応する標識がない。しかしながら、ベース板部材４１のうち、下部パネルユニット４３によって覆われる下側部分の範囲内において、下部パネルユニット４３、ハンドルユニット４７、及び球通路ユニット５１を固定するための挿通孔には、それぞれに標識が付与されている。したがって、本実施形態では、標識が付与されていない３つのネジ５５を取り外すことで、貯留ユニット４４を取り外し可能であることを識別できる。
【０１０２】
また、ベース板部材４１に対して固定される搭載部材のうち、上部パネルユニット４２及び下部パネルユニット４３は、他の搭載部材と比較して、ベース板部材４１の前面を覆う面積が大きいため、上側部分と下側部分とを区別する指標となる。また、上部パネルユニット４２と下部パネルユニット４３とは、ベース板部材４１に対して組み付けられた状態において相互に隣接している。
【０１０３】
本実施形態では、上部パネルユニット４２には、第１標識Ｍ１ａ及び第３標識Ｍ３ａを用いる一方で、下部パネルユニット４３には、第２標識Ｍ２を用いるというように、上部パネルユニット４２と下部パネルユニット４３とで、標識を共通化していない。したがって、本実施形態では、上部パネルユニット４２及び下部パネルユニット４３を取り外すときに参照すべき標識を容易に認識させることができる。
【０１０４】
以上のように、本実施形態の前枠体４０は、複数の搭載部材を備えており、該複数の搭載部材には、付与されている標識が異なる複数の搭載部材が含まれている。本実施形態において、第１標識Ｍ１ａ及び第３標識Ｍ３ａが用いられる上部パネルユニット４２は、第１部材に相当し、第２標識Ｍ２が用いられる下部パネルユニット４３は、第２部材に相当する。
【０１０５】
したがって、本実施形態のパチンコ遊技機１０は、次の効果を有する。
（１）本実施形態によれば、標識Ｍ１〜Ｍ３が対応しているネジ５５を取り外せば、所定の搭載部材を取り外すことができる。そして、本実施形態によれば、ベース板部材４１と裏カバー部材５０には、ベース板部材４１と上部パネルユニット４２とを固定している複数のネジ５５に対応させて、所定の標識として第１標識Ｍ１ａが設けられている。したがって、ネジ５５との対応関係を理解し易いように標識を設けるに際して、標識を設ける位置の自由度を高めることができる。したがって、部材を取り外し易い。
【０１０６】
（２）例えば、第１標識Ｍ１ａが対応しているネジ５５を取り外せば、上部パネル部材４２１を取り外すことができる。例えば、第３標識Ｍ３ａが対応しているネジ５５を取り外せば、遮光板４２２を取り外すことができる。
【０１０７】
（３）例えば、第２標識Ｍ２が対応しているネジ５５を取り外せば、下部パネルユニット４３を取り外すことができる。例えば、第１標識Ｍ１ｂが対応しているネジ５５を取り外せば、球通路ユニット５１を取り外すことができる。例えば、第３標識Ｍ３ｂが対応しているネジ５５を取り外せば、ハンドルユニット４７を取り外すことができる。
【０１０８】
（４）本実施形態によれば、裏カバー部材５０には、ベース板部材４１と遮光板４２２とを固定しているネジ５５に対応させて、所定の標識として第３標識Ｍ３ａが設けられている。したがって、ネジ５５との対応関係を理解し易いように標識を設けるに際して、標識を設ける位置の自由度を高めることができる。
【０１０９】
（５）本実施形態によれば、上部パネルユニット４２（第１部材）と下部パネルユニット４３（第２部材）とで標識が異なることから、部材を取り外すときに、取り外すべきネジ５５を簡単に識別できる。したがって、部材を取り外し易い。
【０１１０】
（６）本実施形態では、第３標識Ｍ３ａは、裏カバー部材５０の後面に設けられており、第１標識Ｍ１ｂは、球通路ユニット５１の後面に設けられている。したがって、標識が作業者の目につき易く、取り外すべきネジ５５を簡単に理解させることができる。
【０１１１】
（７）本実施形態によれば、標識Ｍ１〜Ｍ３の一部は、凹部又は凸部として金属製のベース板部材４１と一体に形成されている。したがって、標識がベース板部材４１から剥離することがなく、標識の紛失により、取り外すべきネジ５５を理解し難くなることを抑制できる。
【０１１２】
（８）本実施形態によれば、標識Ｍ１〜Ｍ３の一部は、凹部又は凸部として部材（裏カバー部材５０や球通路ユニット５１）と一体に形成されている。したがって、標識が部材から剥離することがなく、標識の紛失により、取り外すべきネジ５５を理解し難くなることを抑制できる。
【０１１３】
（９）本実施形態によれば、部材の固定にネジ５５を用いていることから、簡便に取り付け及び取り外しが可能になる。
例えば、上記実施形態は、次のように変更してもよい。
【０１１４】
・第２搭載部材と第１搭載部材とは、１又は２以上のネジ５５によって固定されていてもよい。この場合、第２搭載部材には、第１搭載部材と第２搭載部材とを固定している１又は２以上のネジ５５に対応させて、所定の標識が設けられているとよい。例えば、上述した実施形態において、裏カバー部材５０の作業孔５０５，５０６を、ネジ５５の軸部５５ｃを挿通可能な挿通孔とすることで、裏カバー部材５０と上部パネルユニット４２とをネジ５５によって固定してもよい。この場合、上述した実施形態における第１標識Ｍ１ａや第３標識Ｍ３ａは、裏カバー部材５０と上部パネルユニット４２とを固定しているネジ５５に対応させた標識となる。本別例によれば、ネジ５５との対応関係を理解し易いように標識を設けるに際して、標識を設ける位置の自由度を高めることができる。
【０１１５】
・第２搭載部材としての裏カバー部材５０と、ベース板部材４１とを固定している１又は２以上のネジ５５のそれぞれに対応させて、所定の標識を設けてもよい。この場合、標識は、裏カバー部材５０に設けられていてもよく、ベース板部材４１に設けられていてもよく、隣接している他の部材に設けられていてもよい。
【０１１６】
・搭載部材とベース板部材４１と固定するためのネジの個数は、搭載部材ごとに適宜変更してもよい。例えば、所定の搭載部材とベース板部材４１と固定するためのネジの個数は、１つであってもよく、２つ以上であってもよい。
【０１１７】
・ベース板部材４１は、金属製でなくてもよい。例えば、ベース板部材４１は、一部又は全部が樹脂材料製であってもよく、木製であってもよい。
・標識Ｍ１〜Ｍ３は、ベース板部材４１や、該ベース板部材４１に組み付けられた搭載部材と一体に形成されていなくてもよい。例えば、標識Ｍ１〜Ｍ３の一部又は全部は、ネジ５５（挿通孔）に近接した位置に張り付けられたラベル（シール）であってもよく、ネジ５５（挿通孔）に近接した位置に所定のインクを用いて印刷されたものであってもよい。この場合、標識Ｍ１〜Ｍ３は、凹部又は凸部として一体に形成されていないことになる。
【０１１８】
・標識Ｍ１〜Ｍ３は、それぞれの標識を区別して認識可能であればよく、矢印、三角形、及び菱形である必要はない。例えば、第１標識Ｍ１は、星を模した標識であり、第２標識Ｍ２は、太陽を模した標識であり、第３標識Ｍ３は、月を模した標識であってもよい。また、例えば、第１標識Ｍ１は、アラビア数字の１を模した標識であり、第２標識Ｍ２は、アラビア数字の２を模した標識であり、第３標識Ｍ３は、アラビア数字の３を模した標識であってもよい。
【０１１９】
・標識Ｍ１〜Ｍ３は、ネジ５５に塗布された塗料であってもよい。これによれば、塗料の色によって、標識Ｍ１〜Ｍ３として識別することが可能である。
・標識Ｍ１〜Ｍ３は、ネジ５５を取り外す順序を識別可能とする情報として、順序標識が付加されていてもよい。例えば、順序標識は、アラビア数字を模した標識であってもよく、点といった所定形状部分の個数を異ならせた標識であってもよい。
【０１２０】
・標識Ｍ１〜Ｍ３は、搭載部材を取り外す順序を識別可能とする情報として、取り外し標識が付加されていてもよい。例えば、取り外し標識は、アラビア数字を模した標識であってもよく、点といった所定形状部分の個数を異ならせた標識であってもよい。
【０１２１】
・標識Ｍ１〜Ｍ３は、全てベース板部材４１に設けられていてもよい。例えば、全ての第１標識Ｍ１ａをベース板部材４１に設けた場合であっても、裏カバー部材５０が透明であれば、上部パネルユニット４２を固定しているネジ５５を識別可能である。
【０１２２】
・標識Ｍ１〜Ｍ３は、全て、ベース板部材４１に固定された搭載部材に設けられていてもよい。このように構成されていても、ネジ５５に対応させて標識を設けることができる。特に、ベース板部材４１に固定された搭載部材が不透明である場合に有効である。
【０１２３】
・標識Ｍ１〜Ｍ３の位置は、ネジ５５（挿通孔）との対応関係が識別可能であれば、適宜変更してもよい。例えば、標識Ｍ１〜Ｍ３は、ベース板部材４１の前面側であって、上部パネルユニット４２などの前面に設けられていてもよい。
【０１２４】
・第１標識Ｍ１ａは、ベース板部材４１及び裏カバー部材５０とは異なる部材に設けられていてもよい。第３標識Ｍ３ａは、ベース板部材４１に設けられていてもよく、ベース板部材４１及び裏カバー部材５０とは異なる部材に設けられていてもよい。第２標識Ｍ２は、ベース板部材４１とは異なる部材に設けられていてもよい。第１標識Ｍ１ｂは、ベース板部材４１に設けられていてもよく、ベース板部材４１及び球通路ユニット５１とは異なる部材に設けられていてもよい。第３標識Ｍ３ｂは、ベース板部材４１とは異なる部材に設けられていてもよい。
【０１２５】
・標識の種類は、１種類でもよく、２種類でもよく、４種類以上であってもよい。
・複数のネジ５５は、全て同じ形状及び大きさである必要はない。例えば、複数のネジ５５には、形状及び大きさの少なくとも一方が異なる複数種類のネジが含まれていてもよい。
【０１２６】
・ベース板部材４１に対する搭載部材の固定に関して、一部又は全部のネジ５５を、ネジとは異なる固定手段に変更してもよい。例えば、固定手段は、ボルトであってもよく、着脱可能なワンタッチリベットであってもよい。
【０１２７】
・外枠体２０の枠体ベース板と搭載部材とを固定するネジに標識を付してもよい。中枠体３０の枠体ベース板と搭載部材とを固定するネジに標識を付してもよい。例えば、中枠体３０の搭載部材としては、遊技盤６０、及び演出表示ディスプレイ６４などのほか、演出用の可動体及び該可動体を動作させるステッピングモータや、副演出表示ディスプレイなどが考えられる。
【０１２８】
・特別ゲームは、演出表示ディスプレイ６４にて表示してもよい。この場合、演出ゲームを表示しないようにしてもよい。
・パチンコ遊技機１０は、第１特別図柄を用いる第１特別ゲームと、第２特別図柄を用いる第２特別ゲームと、を実行可能に構成されていてもよい。
【０１２９】
・主制御基板の機能は、複数の基板に分割して実現してもよい。主制御基板は、単一の基板上に実装された複数のＣＰＵから構成されていてもよい。
・副制御基板の機能は、複数の基板に分割して実現されていてもよい。例えば、パチンコ遊技機１０は、表示演出装置を専門に制御する表示基板、発光演出装置を専門に制御するランプ基板、及び音声演出装置を専門に制御する音声基板を備えていてもよく、これらの基板群を統括的に制御する統括基板をさらに備えていてもよい。
【０１３０】
・遊技機としてのスロットマシンに適用してもよい。この場合、スロットマシンは、前方に開口する四角箱状の本体キャビネットと、本体キャビネットを開閉可能に軸支された前扉と、を備えている。例えば、本体キャビネットの内部には、複数の搭載部材として、遊技媒体としてのメダルを払い出す払出装置としてのホッパー、電源ボックス、及びリールユニットが固定されている。例えば、前扉の裏側には、複数の搭載部材として、投入口から投入された遊技メダルを受け入れるメダルセレクタや、メダルセレクタからホッパーへ遊技メダルを案内する案内通路を有する通路ユニットなどが固定されている。そして、これらの搭載部材と、本体キャビネットや前扉とを固定するネジなどの固定手段に対応させて、所定の標識を設けるとよい。
【０１３１】
次に示す技術的思想は、上述した実施形態から把握できる。
（イ）前記基礎部材は、金属製であり、前記所定の標識は、凹部又は凸部として前記基礎部材と一体に形成されているとよい。
【０１３２】
（ロ）前記固定手段は、ネジであるとよい。
（ハ）前記搭載部材には、第３搭載部材が含まれており、前記基礎部材と前記第３搭載部材とは、１又は２以上の固定手段によって固定されており、前記第３搭載部材には、前記基礎部材と前記第３搭載部材とを固定している１又は２以上の固定手段に対応させて、所定の標識が設けられているとよい。
【符号の説明】
【０１３３】
Ｍ１…第１標識（所定の標識）、Ｍ２…第２標識（所定の標識）、Ｍ３…第３標識（所定の標識）、１０…パチンコ遊技機（遊技機）、４０…前枠体（枠体）、４１…ベース板部材（基礎部材）、４２…上部パネルユニット（搭載部材、第１搭載部材、第１部材）、４３…下部パネルユニット（搭載部材、第１搭載部材、第２部材）、４４…貯留ユニット（搭載部材、第１搭載部材）、４５…左スピーカユニット（搭載部材）、４６…右スピーカユニット（搭載部材）、４７…ハンドルユニット（搭載部材、第１搭載部材）、５０…裏カバー部材（第２搭載部材）、５１…球通路ユニット（第３搭載部材）、５５…ネジ（固定手段）、４１５ａ〜４１５ｊ，４１７ａ〜４１７ｃ，４１９ａ，５１１ａ〜５１１ｃ…挿通孔。
【図１】
2018057749.tif 000003
【図２】
2018057749.tif 000004
【図３】
2018057749.tif 000005
【図４】
2018057749.tif 000006
【図５】
2018057749.tif 000007
【図６】
2018057749.tif 000008
【図７】
2018057749.tif 000009
【図８】
2018057749.tif 000010
【図９】
2018057749.tif 000011
【図１０】
2018057749.tif 000012
【図１１】
2018057749.tif 000013
【図１２】
2018057749.tif 000014
【図１３】
2018057749.tif 000015